(57)【要約】【課題】保育未経験者等が熟練を要することなく、分量通りの乳幼児用ミルクを簡単に作れ、適温のミルクを乳幼児に迅速に飲ませることができる自動粉ミルク調合装置を提供する。【解決手段】水を貯蔵する第１水タンク１と、該第１水タンク１内の水を沸騰させた湯が送られ所定温度に保温される第２湯貯蔵タンク２と、粉ミルクを収納する第３粉ミルク収納タンク３とを備え、前記第２貯蔵タンク２から所定温度で、かつ、所定量の湯と前記第３粉ミルク収納タンク３から計量された粉ミルクとを哺乳瓶１２に供給するようにしたことを特徴とする。【選択図】  図１
0003124382.tif 000002
【実用新案登録請求の範囲】
【請求項１】
水を貯蔵する第１水タンクと、該第１水タンから供給された水を沸騰させ所定温度に保温される第２湯貯蔵タンクと、粉ミルクを収納する第３粉ミルク収納タンクとを備え、前記第２貯蔵タンクから所定温度で、かつ、所定量の湯と前記第３粉ミルク収納タンクから計量された所定量の粉ミルクとを哺乳瓶に供給するようにしたことを特徴とする粉ミルク調合装置。
【請求項２】
前記第２湯貯蔵タンクで沸騰させた湯をコーヒーサイフォンの原理により上部にロートを介して導き、再びフィルタを介して濾過・落下させ前記第２湯貯蔵タンクに導くようにしたことを特徴とする請求項１に記載の粉ミルク調合装置。
【請求項３】
前記粉ミルク貯蔵タンク内に負イオン発生手段からの負イオンを放出させることを特徴とする請求項１に記載の粉ミルク調合装置。
【請求項４】
水を貯蔵する第１水タンクと、該第１水タンクから供給された水を加熱手段によって加熱する加熱時間を設定するタイマと、前記第2湯貯蔵タンクの湯を所定温度に保温する保温手段と、該保温手段により所定温度に保温された前記第２湯貯蔵タンク内の湯を所定量計る湯計量手段と、前記第３粉ミルク収納タンクの粉ミルクを所定量計る粉ミルク計量手段と、前記湯計量手段及び前記粉ミルク計量手段を任意量に設定する設定操作手段と、該設定操作手段によって設定された粉ミルク及び所定温度の湯を哺乳瓶に排出・供給する排給手段とを備えことを特徴とする請求項１に記載の粉ミルク調合装置。
【考案の詳細な説明】
【技術分野】
【０００１】
本考案は、保育未経験者等が熟練を要することなく、分量通りの乳幼児用ミルクを簡単に作れ、適温のミルクを乳幼児に迅速に飲ませることができる自動粉ミルク調合装置に関するものである。
【背景技術】
【０００２】
この種の粉ミルク調合装置として、例えば特表２００４−５２０１４７号（以下、第１文献という。）、特表２００５−５２０６６７（以下、第２文献という。）、特表２００５−５２４４５７（以下、第３文献という）がある。
【０００３】
しかるに、第１文献に記載された発明は、乳児に授乳を目的として牛乳瓶に粉乳・栄養剤および温水などを入れるときに自動給乳装置を利用して給乳が迅速に自動処理されるようにすることにより授乳を便利・迅速かつ効果的に行うことができるようにしたものである。
【０００４】
かかる目的を達成するため、ケース内に収容された粉乳箱、栄養剤箱及び水タンクを有し、前記粉乳箱の下に位置して、その粉乳箱に内蔵された粉乳を牛乳瓶に適切量供給する粉乳吐出手段と、牛乳瓶を往復させる牛乳瓶移動手段と、前記粉乳吐出手段、冷温水給水、粉乳量、水量などを制御する制御器を含む制御パネルとを備えている。
【０００５】
また、第２文献に記載された発明は、乳幼児用調合乳を調乳する調乳する調乳器であって、哺乳瓶を消毒する消毒器と、粉ミルクを哺乳瓶へ供給する粉ミルク容器と、水を哺乳瓶へ供給する水容器と、調乳器への動作を制御する第１コントローラとを備えている。
【０００６】
さらに、第３文献に記載された発明は、調乳装置の支持機構と、この支持機構により支持される第１及び第２容器とを備えている。第１容器は液体を保持するように構成され、第２容器は粉ミルクを保持するように構成される。さらに第１容器の内容物の温度の調整のための手段が設けられ、第１容器及び第２容器の内容物の量を調合するための手段が設けられている。そして、第１及び第２容器から調合された内容物の量を調合するための手段と、第１及び第２容器から調合された内容物を消費に適した温度まで手段とが設けられている。
【考案の開示】
【考案が解決しようとする課題】
【０００７】
第１文献に記載された発明は、幼児に授乳するための牛乳を準備するとき、手で粉乳や温水を一々牛乳瓶に混合しなければならない不便と、適切な授乳量を調節するときの正確度を上げる点で優れている。しかしながら構成が複雑であり、製造コスト高を免れない難点がある。
【０００８】
第２文献に記載された発明は、哺乳瓶の消毒器を備えている点で優れているが、前記同様に装置全体の構成が複雑で製造コスト高を免れない難点がある。
【０００９】
第３文献に記載された発明は、粉ミルクからミルクを調合する作業の自動化及び消費するためのミルクを適切な温度で調乳することができる装置として優れた特徴を有する。しかしながら、前記と同様に装置全体の構成が複雑で製造コスト高を免れない難点がある。
【課題を解決するための手段】
【００１０】
本考案は上記の点に鑑みてなされたもので、請求項１に記載の考案は、水を貯蔵する第１水タンクと、該第１水タンから供給された水を沸騰させ所定温度に保温される第２湯貯蔵タンクと、粉ミルクを収納する第３粉ミルク収納タンクとを備え、前記第２貯蔵タンクから所定温度で、かつ、所定量の湯と前記第３粉ミルク収納タンクから計量された所定量の粉ミルクとを哺乳瓶に供給するようにしたことを特徴とする。
【００１１】
これにより、第１水タンクに貯蔵された水が沸騰されて湯となり、この湯が第２湯貯蔵タンクに送られ、ここで、例えば４０℃に保温される。
所定温度に保温された湯を所定分量だけ計量するとともに、第３粉ミルク収納タンク内の粉ミルクを所定分量だけ計量し、これらの湯及び粉ミルクを哺乳瓶等の哺乳瓶に供給する。
【００１２】
請求項２に記載の考案は、前記第２湯貯蔵タンクで沸騰させた湯をコーヒーサイフォンの原理により上部にロートを介して導き、再びフィルタを介して濾過・落下させ前記第2湯貯蔵タンクに導くようにしたことを特徴とする請求項１に記載の粉ミルク調合装置である。
【００１３】
請求項３に記載の考案は、前記粉ミルク貯蔵タンク内に負イオン発生手段からの負イオンを放出させることを特徴とする請求項１に記載の粉ミルク調合装置である。
【００１４】
請求項４に記載の考案は、水を貯蔵する第１水タンクと、該第１水タンクからの水を加熱手段によって加熱する加熱時間を設定するタイマと、前記第２湯貯蔵タンクの湯を所定温度に保温する保温手段と、該保温手段により所定温度に保温された前記第２湯貯蔵タンク内の湯を所定量計る湯計量手段と、前記第３粉ミルク収納タンクの粉ミルクを所定量計る粉ミルク計量手段と、前記湯計量手段及び前記粉ミルク計量手段を任意量に設定する設定操作手段と、該設定操作手段によって設定された粉ミルク及び所定温度の湯を哺乳瓶に排出・供給する排給手段とを備えたことを特徴とする請求項１に記載の粉ミルク調合装置である。
【考案の効果】
【００１５】
本考案は上記の構成により、装置全体の構成が簡単であるにも拘わらず、保育未経験者等が熟練を要することなく、分量通りの乳幼児用ミルクを簡単に作れ、適温のミルクを乳幼児に迅速に飲ませることができるとともに、製造コストを低減し安価に提供できる等の優れた効果を有する。
【考案を実施するための最良の形態】
【００１６】
水を貯蔵する第１水タンクと、該第１水タンク内の水を沸騰させた湯が送られ所定温度に保温される第２湯貯蔵タンクと、粉ミルクを収納する第３粉ミルク収納タンクとを備えている。そして、前記第２貯蔵タンクから所定温度で、かつ、所定量の湯と前記第３粉ミルク収納タンクから計量された粉ミルクとを哺乳瓶に供給するようする。
【実施例】
【００１７】
以下に、本考案の実施例を、図を参照して詳細に説明する。
図１は、本考案の粉ミルク調合装置の外観図である。
図において、粉ミルク調合装置１００は、水を貯蔵する第１水タンク１と、この第1水タンク１内の水を沸騰させた湯が送られ所定温度に保温される第２湯貯蔵タンク２と、粉ミルクを収納する第３粉ミルク収納タンク３とを備えている。
【００１８】
これらのタンク１〜３は、例えばプラスチック等の透明又は半透明材料から形成され、外部から水、湯、粉ミルクの分量が見えるようになっている。また、少なくとも前記第１水タンク３と第３ミルク収納タンク２の縦方向稜線部には、収納物の分量が目視できるように目盛り４，５が施されている。
なお、予備の水を貯蔵する第１水タンク１には特に図示しなかったが、上記と同様に内部の予備水の分量を目視できるように目盛りを設けるのが好ましい。
【００１９】
上記第1水タンク１、第２湯貯蔵タンク２及び第３ミルク貯蔵タンク３には、それぞれ上蓋６，７，８が設けられている。
また、粉ミルク調合装置１００本体の前面には、開閉扉９が設けられ、この開閉扉９を開けると、図３に示すように収納スペース１０が設けられ、この収納スペース１０の台座部１１に哺乳瓶１２が載置できるようになっている。
【００２０】
図３において、第２湯貯蔵タンク２及び第３ミルク貯蔵タンク３内には計量弁１３，１４と開閉弁１５，１６が設けられ、所定分量の湯と所定分量の粉ミルクがそれぞれ計量弁１３，１４で計量され、開閉弁１５，１６を開放することにより、供給パイプ１７，１８を介して哺乳瓶１２に所定分量の湯と所定分量の粉ミルクが供給される構成となっている。
【００２１】
粉ミルク調合装置１００の本体側面には、制御パネルを備えている。
すなわち、制御パネルには、本体に電源を投入する電源スイッチ１９、第２湯貯蔵タンク２内の水を沸騰させるためのヒータ（図示せず）に通電するためのヒータ用スイッチ２０、哺乳瓶１２に供給すべき決定し、計量指令を指示する計量指示ダイヤル２１、哺乳瓶１２へ供給する、粉ミルクが溶け、かつ、乳幼児に飲ませるのに最適な温度を表示する適温目盛りランプ２２、粉ミルク調合装置、特に哺乳瓶１２を載置する収納スペース内を清潔に保つためにマイナスイオンを発生させるためのマイナスイオン操作ボタン２３及び第1水タンク１から第2湯貯蔵タンク２の給水状態を示す給水ランプ２４を備えている。
【００２２】
なお、上記マイナスイオン発生装置については、通常の構成であるため、図示は省略するが、粉ミルク調合装置１００内に内臓されるものする。また、図中の符号２５は電源プラグを示す。
また、上記粉ミルク調合装置１００内にはマイクロコンピュータが内蔵され、ＣＰＵにより図４に示すような処理がなされる。
【００２３】
すなわち、先ず、ステップ（４−１）で本体電源２９をオンすると、マイクロコンピュータが動作する。そして、ステップ（４−２）で第２湯貯蔵タンク２内に、予備の第１水タンク１から過不足なく所定分量の水が供給されているかを判断し、水が供給されていない場合は、第１水タンク１から水が所定量供給される。一方、第２湯貯蔵タンク２内の水が所定量である場合には、次のステップ（４−３）に移り、第２湯貯蔵タンクの水を加熱するためのヒータがオンする。
【００２４】
次に、ステップ（４−４）に移り、第２湯貯蔵タンク２の水が沸騰したか否かを温度センサ（図示省略）により感知し、沸騰した場合には当該ヒータをオフさせる。そして、乳幼児が飲むのに最適な温度、例えば４０℃程度に温度が低下したか否かをステップ（４−５）で判断し、未だ所定温度まで低下しない場合には経過時間を待ち、一方所定温度まで低下した場合には次のステップ（４−６）に移る。
【００２５】
上記ステップ（４−６）では、予め計量指示ダイヤル２１でセットされた指示量に対応して計量弁１３，１４が動作し、所定量の湯と粉ミルクを計量してステップ（４−７）でその分量が適正か否かが判断される。
【００２６】
上記ステップ（４−７）での分量が適正である場合にはステップ（４−８）に移り開閉弁１５，１６を開放し、所定量の湯と粉ミルクとを供給パイプ１７，１８を介して哺乳瓶１２に供給し、ステップ（４−９）で一連の処理を終了する。
【００２７】
次に、上記粉ミルク調合装置１００の構成を利用して比較的大型の装置を完成させた場合の実施例を図５に示す。
この粉ミルク調合装置２００は、自動販売機を予定したもので、内部の機構は上記粉ミルク調合装置１００と略同様の機構を有しており、販売ボタン２６の操作により好みの粉ミルクの種類が選択できるようになっている。また、２７は硬貨投入口、２８は硬貨排出口、２９は、哺乳瓶１２の載置スペースであり、他の内部機構は通常の飲料等の自動販売機の機構と同一又は類似の機構を利用している。
【００２８】
さらに、請求項２の考案は、第２湯貯蔵タンク２で沸騰させた湯をコーヒーサイフォンの原理により上部にロートを介して導き、再びフィルタを介して濾過・落下させるようにしているが、かかる構成についての図示は省略する。
【図面の簡単な説明】
【００２９】
【図１】本考案の一実施例を示す粉ミルク調合装置の概要を示す斜視図である。
【図２】上記粉ミルク調合装置の側面図である。
【図３】上記粉ミルク調合装置の内部構造を示す正面図である。
【図４】上記粉ミルク調合装置の処理動作のフローチャートである。
【図５】本考案の他の実施例を示す自動販売機としての粉ミルク調合装置を示す斜視図である。
【符号の説明】
【００３０】
１  第１水タンク
２  第２湯貯蔵タンク
３  第３粉ミルク収納タンク
４，５  目盛り
６，７，８  上蓋
９  開閉扉
１０  収納スペース
１１  台座部
１２  哺乳瓶
１３，１４  計量弁
１５，１６  開閉弁
１７，１８  供給パイプ
１９  電源スイッチ
２０  ヒータ用電源
２１  計量指示ダイヤル
２２  適温目盛りランプ
２３  マイナスイオン操作ボタン
２４  給水ランプ
２５  電源プラグ
２６  販売ボタン
２７  硬貨投入口
２８  硬貨排出口
２９  載置スペース  
１００粉ミルク調合装置
２００粉ミルク調合装置
【図１】
0003124382.tif 000003
【図２】
0003124382.tif 000004
【図３】
0003124382.tif 000005
【図４】
0003124382.tif 000006
【図５】
0003124382.tif 000007